(57)【要約】【課題】蓋体が装着された二重容器であって、汎用性が高く、低コストで実現でき、また、液漏れを防止できる容器を提供する。【解決手段】容器は、外容器１と内容器２と蓋体３とからなる。外容器胴部１２と内容器胴部２２との間に断熱空間４が形成される。蓋体３は、蓋面３１と、蓋面周りに上方に立設される環状周縁部３２とからなる。容器は、内容器フランジ部２３と外容器胴部１２とを密着させる二重用容器密着構造５１と、外容器フランジ部１３が蓋体の環状周縁部３２に嵌合される蓋嵌合構造５２と、蓋面下面に設けられた押圧部３５が内容器フランジ部２３上面を押圧する押圧構造５３とを備える。特徴的構造５１〜５３は相互に作用する。【選択図】図１
2020037418.tif 000002
【特許請求の範囲】
【請求項１】
外容器と、内容器と、蓋体とからなる容器であって、
前記外容器は、外容器底部と、外容器胴部と、外容器フランジ部とからなり、
前記内容器は、内容器底部と、内容器胴部と、内容器フランジ部とからなり、
前記蓋体は、蓋面と、前記蓋面周りに上方に立設される環状周縁部とからなり、
前記容器は、
前記外容器胴部と前記内容器胴部との間に形成される断熱空間と、
前記内容器フランジ部と前記外容器胴部とを密着させる二重用容器密着構造と、
前記外容器フランジ部が前記蓋体の環状周縁部に嵌合される蓋嵌合構造と、
前記蓋面下面に設けられた押圧部が前記内容器フランジ部上面を押圧する押圧構造と、
を備えることを特徴とする容器。
【請求項２】
前記蓋嵌合構造において、前記外容器フランジ部が前記蓋体の環状周縁部に嵌合されると、前記蓋体が下方に押し下げられ、
前記押圧構造において、前記蓋面下面に設けられた押圧部が前記内容器フランジ部上面を押圧し、前記内容器フランジ部が下方に押し下げられ、
前記二重用容器密着構造において、前記内容器フランジ部は前記外容器胴部に更に密着するよう作用する
ことを特徴とする請求項１記載の容器。
【請求項３】
前記蓋体の環状周縁部の内側立設壁面の少なくとも一部が、前記外容器胴部の一部と摺動可能に面接触している面接触構造
を更に備えることを特徴とする請求項１または２記載の容器。
【請求項４】
前記蓋面下面に設けられた下方突出部と前記外容器胴部との間に前記内容器フランジ部が挟み込まれる挟み込み構造
を更に備えることを特徴とする請求項１〜３いずれか記載の容器。
【請求項５】
前記蓋面下面に設けられた下方突出部は、前記蓋面に設けられた開口部周りの補強リブの一部である
ことを特徴とする請求項４記載の容器。
【請求項６】
前記二重用容器密着構造において、前記内容器フランジ部外縁が前記外容器胴部に当接し、前記内容器フランジ部が前記外容器胴部に嵌合される
ことを特徴とする請求項１〜５いずれか記載の容器。
【請求項７】
外容器と、前記外容器に内挿される内容器とからなる二重容器用の蓋体であって、
蓋面と、前記蓋面周りに上方に立設される環状周縁部とからなり、
前記環状周縁部は、前記外容器のフランジと嵌合する嵌合部を有し、
前記蓋面は、前記内容器のフランジを押圧する押圧部と、飲用開口部とを有する
ことを特徴とする蓋体。
【発明の詳細な説明】
【技術分野】
【０００１】
本発明は、二重容器と蓋体とからなる容器に関する。特に、二重容器は、外容器と、外容器に内挿される内容器とからなり、外容器と内容器の間には断熱空間が形成される。
【背景技術】
【０００２】
容器には熱い飲料や冷たい飲料が入れられることがある。
【０００３】
熱い飲料は高温が維持されることが好ましい。冷たい飲料は低温が維持されることが好ましい。また、熱い飲料が入った容器を持った時、熱くて不快感を覚えるおそれもある。また、冷たい飲料が入った容器を持った時、冷たくて不快感を覚えるおそれもある。
【０００４】
内容物の保温および持ち手への熱伝達抑制の観点から、断熱空間が形成された二重容器が用いられている。
【０００５】
樹脂製の外容器に樹脂製の内容器を積み重ねた二重容器が一般的である（例えば、特許文献１）。なお、紙製の二重容器もある。
【０００６】
二重容器には、例えば、熱いコーヒーや紅茶が入れられて、販売されている。このとき、二重容器に蓋体が設けられていると、テイクアウトが可能となる等、便利である（例えば特許文献２）。
【先行技術文献】
【特許文献】
【０００７】
【特許文献１】特許4612313号公報
【特許文献２】特開2015-58950号公報
【発明の概要】
【発明が解決しようとする課題】
【０００８】
外容器に内容器を積み重ねる場合、内容器が外容器内でぐらつかない様な接合構造が重要となる。特許文献１では、外容器の断面カール状のフランジに内容器の断面半円状のフランジを嵌め合わせる例と、外容器の直立した胴部上端に内容器のフランジを掛止させる例とが開示されている。
【０００９】
２つの例とも、接合箇所から飲料の侵入がないように、内容器のフランジが外側になり、接合箇所を覆うように構成されている。
【００１０】
その結果、二重容器のフランジ付近が肉厚となる。容器のデザイン性に制約がある（言い換えると、外観が野暮ったく見える）。
【００１１】
特許文献１の二重容器に蓋を被せると、更に、野暮ったくなる。また、蓋体に設けられた飲用開口部を介して飲料を飲むときの唇の触感が悪く、飲みにくく感じるおそれがある。
【００１２】
このように、外容器と内容器との関係および、蓋体をどのように二重容器に設けるかが重要となる。
【００１３】
特許文献２に係る容器では、蓋体に、外容器用嵌合部と内容器用嵌合部とを設けている。外容器と内容器とが同時に蓋体に固定されて、外容器と内容器との間に、断熱空間が形成される。
【００１４】
しかしながら、特許文献２に係る容器の蓋体は、外容器と内容器とを同時に嵌合するものであり、外容器のみの使用は想定されていない。仮に、外容器のみに使用する場合、液漏れ等の想定外のトラブルが発生するおそれがある。
【００１５】
つまり、特許文献２に係る容器の蓋体は、二重容器専用であり、汎用性に乏しい。その結果、コスト高となる。
【００１６】
また、特許文献２において、外容器と内容器との関係については、特に言及されていない。蓋体と内容器との嵌合に不具合がある場合、容器を傾けた際、飲料が断熱空間に侵入するおそれもある。さらに、蓋体と外容器との嵌合に不具合がある場合、液漏れ等のトラブルが発生するおそれがある。
【００１７】
本発明は、上記課題を解決するものであり、低コストで、液漏れを防止できる容器を提供することを目的とする。
【課題を解決するための手段】
【００１８】
上記目的を達成するための本発明は、外容器と、内容器と、蓋体とからなる容器である。前記外容器は、外容器底部と、外容器胴部と、外容器フランジ部とからなり、前記内容器は、内容器底部と、内容器胴部と、内容器フランジ部とからなり、前記蓋体は、蓋面と、前記蓋面周りに上方に立設される環状周縁部とからなる。
【００１９】
前記容器は、前記外容器胴部と前記内容器胴部との間に形成される断熱空間と、前記内容器フランジ部と前記外容器胴部とを密着させる二重用容器密着構造と、前記外容器フランジ部が前記蓋体の環状周縁部に嵌合される蓋嵌合構造と、前記蓋面下面に設けられた押圧部が前記内容器フランジ部上面を押圧する押圧構造とを備える。
【００２０】
蓋嵌合構造は、蓋体と外容器とを嵌合させる。内容器を取り外すと、一般的な飲用容器として利用可能である。すなわち、汎用性が高く、その結果、低コストで実現できる。
【００２１】
上記発明において好ましくは、前記蓋嵌合構造において、前記外容器フランジ部が前記蓋体の環状周縁部に嵌合されると、前記蓋体が下方に押し下げられ、前記押圧構造において、前記蓋面下面に設けられた押圧部が前記内容器フランジ部上面を押圧し、前記内容器フランジ部が下方に押し下げられ、前記二重用容器密着構造において、前記内容器フランジ部は前記外容器胴部に更に密着するよう作用する。
【００２２】
このように各構造が相互作用することにより、断熱空間への侵入を含む液漏れを防止できる。
【００２３】
上記発明において好ましくは、前記蓋体の環状周縁部の内側立設壁面の少なくとも一部が、前記外容器胴部の一部と摺動可能に面接触している面接触構造を更に備える。
【００２４】
面接触構造は、蓋嵌合構造から押圧構造への力の伝達を補助する。
【００２５】
上記発明において好ましくは、前記蓋面下面に設けられた下方突出部と前記外容器胴部との間に前記内容器フランジ部が挟み込まれる挟み込み構造を更に備える。
【００２６】
挟み込み構造と二重用容器密着構造とが相互作用することにより、確実に液漏れを防止できる。
【００２７】
上記発明において好ましくは、前記蓋面下面に設けられた下方突出部は、前記蓋面に設けられた開口部周りの補強リブの一部である。
【００２８】
補強リブの一部を利用して挟み込み構造を形成すれば、低コスト性が維持される。
【００２９】
上記発明において好ましくは、前記二重用容器密着構造において、前記内容器フランジ部外縁が前記外容器胴部に当接し、前記内容器フランジ部が前記外容器胴部に嵌合される。
【００３０】
このような二重用容器密着構造により、液漏れを防止できる。
【００３１】
上記目的を達成するための本発明は、外容器と、前記外容器に内挿される内容器とからなる二重容器用の蓋体である。蓋面と、前記蓋面周りに上方に立設される環状周縁部とからなる。前記環状周縁部は、前記外容器のフランジと嵌合する嵌合部を有する。前記蓋面は、前記内容器のフランジを押圧する押圧部と、飲用開口部とを有する。
【発明の効果】
【００３２】
本発明の容器は、汎用性が高く、その結果、低コストで実現できる。また、液漏れを防止できる。
【図面の簡単な説明】
【００３３】
【図１】容器の概略構成図および分解図
【図２】蓋体の概略構成図
【図３】押圧部範囲図
【図４】各構造の相互作用に係る説明図（斜視図）
【図５】各構造の相互作用に係る説明図（断面図）
【図６】効果に係る説明図
【図７】効果に係る説明図
【図８】飲用動作時の説明図（斜視図）
【図９】飲用動作時の説明図（断面図）
【図１０】変形例１に係る容器の要部構成図
【図１１】変形例２に係る容器の要部構成図
【図１２】変形例３に係る容器の概略構成図および要部構成図
【図１３】変形例４に係る蓋体の概略構成図および動作説明図
【図１４】変形例５に係る押圧部範囲図
【図１５】変形例６に係る押圧部範囲図
【発明を実施するための形態】
【００３４】
〜基本構成〜
図１は容器の概略構成図および分解図である。まず、基本構成について説明する。
【００３５】
容器は、外容器１と、内容器２と、蓋体３とからなる。
【００３６】
外容器１は、底部１１と、胴部１２と、フランジ部１３とを備える。内容器２は、底部２１と、胴部２２と、フランジ部２３とを備える。
【００３７】
胴部１２，２２は概略形状として略逆円錐台形状に形成される。すなわち、フランジ部１３，２３から底部１１，２１に向かって縮径するように形成される。
【００３８】
フランジ部１３，２３は、胴部１２，２２頂部から外周略水平方向に突出されている。
【００３９】
底部１１は自立可能となるよう略平面状であることが好ましいが、底部２１は平面状でもよいし、平面状でなくてもよい。たとえば、半球状でも良い。
【００４０】
内容器２は外容器１に内挿され二重容器が形成される。外容器１と内容器２との間には断熱空間４が形成される。胴部１２，２２間の空間を前提とするが、さらに底部１１，１２間に空間があってもよい。
【００４１】
蓋体３は、二重容器の開口部を塞ぐように設けられる。
【００４２】
〜蓋体〜
図２は蓋体の概略構成図である。図２Aは表面から見た斜視図であり、図２Bは裏面から見た斜視図である。
【００４３】
蓋体３は、蓋面３１と、環状周縁部３２とからなる。
【００４４】
環状周縁部３２は蓋面３１周りに上方に立設される。環状周縁部３２は、外容器フランジ部１３に被せられるような略コの字型をしており、内側立設壁面３３と周状天面と外側立設壁面とからなる。外側立設壁面には複数の凹部３４が間欠的に周方向に配置されている。
【００４５】
蓋面３１下面の周縁部には、押圧部３５が設けられている。図示の例では、押圧部３５は蓋面３１下面周縁部の一部領域であり、内容器フランジ部２３上面を押圧する部分に相当する。
【００４６】
図３は、蓋面３１下面における、押圧部３５の範囲を示す図である。当該範囲にハッチングを付す。図示の例では、周の半分以上の領域に形成されている。押圧部３５の領域が広い程、内容器フランジ部２３上面を広範囲で押圧可能となり、液漏れ防止の点で有利となる。
【００４７】
図２に戻る。蓋面３１には略涙滴型の飲用開口部３６が設けられている。蓋面３１のうち飲用開口部３６相当箇所が切断され、折り曲げられて反転し、飲用開口部３６が形成される。なお、押圧部３５は飲用開口部３６を囲むように形成されている。
【００４８】
飲用開口部３６相当箇所には、つまみ部が形成されている。つまみ部を引き上げることで切断線が切断される。蓋面３１のうち飲用開口部３６相当箇所と反対側には、上方に向かう斜面が形成されており、斜面にはつまみ部受けが形成されている。
【００４９】
飲用開口部３６相当箇所が反転するとき、つまみ部はつまみ部受けに嵌合され固定される。
【００５０】
つまみ部を引き上げる際の力が蓋面３１面内に分散しない様に、飲用開口部３６周りに補強リブ３７が設けられている。これによりつまみ部を引き上げる際の力は切断線に集中する。
【００５１】
補強リブ３７は、蓋面３１より下方に突出することにより形成される。下方突出部３８は補強リブ３７の一部である。
【００５２】
〜特徴的構造と相互作用〜
本実施形態に係る容器において、複数の特徴的構造５１〜５４が相互に作用する。図４および図５は各構造の相互作用に係る説明図である。
【００５３】
図４Aは下側から見た斜視図であり、図４Bは上側から見た斜視図である。図５Aは蓋が設けられる前の部分断面図であり、図５Bは蓋が設けられた後の部分断面図である。
【００５４】
本実施形態に係る容器は、二重用容器密着構造５１と、蓋嵌合構造５２と、押圧構造５３と、面接触構造５４とを備えている。
【００５５】
二重用容器密着構造５１において、内容器フランジ部２３と外容器胴部１２とが密着している。図示の例では、内容器フランジ部２３外縁が外容器胴部１２の内壁に当接している。
【００５６】
蓋嵌合構造５２において、外容器フランジ部１３が蓋体の環状周縁部３２に嵌合されている。図示の例では、さらに、蓋体凹部３４が外容器フランジ部１３下面と係合している。
【００５７】
押圧構造５３において、内側立設壁面３３の斜面長さが外容器フランジ部１３−内容器フランジ部２３間距離とほぼ同じか若干長いことにより、蓋面の押圧部３５が内容器フランジ部２３上面を押圧する。
【００５８】
面接触構造５４において、蓋体の内側立設壁面３３外壁の少なくとも一部が、外容器胴部１２内壁の一部と摺動可能に面接触している。これにより、面接触構造５４において、内側立設壁面３３と外容器胴部１２とは一体となって、互いに剛性を補強しあう。
【００５９】
次に特徴的構造５１〜５４の相互作用について説明する。
【００６０】
二重容器の二重用容器密着構造５１において、内容器フランジ部２３外縁が外容器胴部１２の内壁に当接している。更に、二重容器に蓋体３を装着する。
【００６１】
蓋嵌合構造５２において、外容器フランジ部１３が蓋体の環状周縁部３２に嵌合されると、蓋体３全体が下方に押し下げられる。
【００６２】
ところで、本実施形態の蓋体３の内側立設壁面３３は、一般的な蓋体と比べて、若干長い。仮に、内側立設壁面３３に座屈が発生すると、蓋嵌合に伴う押下げ力は下方に伝達されにくくなる。
【００６３】
これに対し、面接触構造５４は、押下げ力の下方伝達を補助する。内側立設壁面３３は座屈することなく外容器胴部１２に対し摺動する。押下げ力は押圧構造５３に確実に伝達される。
【００６４】
押圧構造５３において、押圧部３５が内容器フランジ部２３上面を押圧すると、内容器フランジ部２３が下方に押し下げられる。
【００６５】
外容器胴部１２は下方に縮径している。すなわち傾斜している。内容器フランジ部２３は外容器胴部１２の傾斜に沿って下方に移動しようとするが、制限される。
【００６６】
二重用容器密着構造５３において、内容器フランジ部２３外縁は外容器胴部１２の内壁を押圧し、内容器フランジ部２３が外容器胴部１２に嵌合される。その結果、内容器フランジ部２３は外容器胴部１２に更に密着するよう作用する。
【００６７】
なお、面接触構造５４は補助的構成であるが、あるとより好ましい。
【００６８】
また、押圧構造５３において、内容器フランジ部２３が下方に押し下げられるとき、内容器フランジ部２３は反発（上に向かう）しようとする。これにより、蓋体３全体が下方に押し上げられようとするが、蓋嵌合構造５２はこの反発に対抗する。その結果、蓋３は外れない。
【００６９】
〜効果〜
図６は、本実施形態に係る容器の一の効果に係る説明図である。
【００７０】
本実施形態においては、蓋体３は、外容器１のみに嵌合されており、内容器２には嵌合されていない。一方、内容器２は外容器１に着脱自在に内挿されている。
【００７１】
したがって、内容器２を外容器１から取り外し、蓋体３を外容器１に嵌合すると、一般的な飲用容器として利用可能である。特に、熱い飲料や、冷たい飲料でなければ、二重容器とする必要がない。
【００７２】
すなわち、飲料の種類に応じて、一般的な容器として、または、二重容器として利用でき、汎用性が高い。その結果、低コストで実現できる。
【００７３】
図７は、本実施形態に係る容器の別の効果に係る説明図である。
【００７４】
特徴的構造５１〜５４が相互に作用することにより、内容器フランジ部２３は外容器胴部１２に確実に密着する。
【００７５】
仮に、高温の飲料が入れられた場合でも、温度による材料変形の影響を低減して、確実な密着を維持する。その結果、断熱空間４に飲料が侵入するおそれはない。
【００７６】
特に、二重用容器密着構造５１と押圧構造５３と面接触構造５４は、図示Xポイント付近にて隣接しあっているため、力学的に伝達しやすく、確実に相互に作用する。
【００７７】
また、蓋嵌合構造５２と押圧構造５３と面接触構造５４とが相互作用することにより、飲料が容器外に液漏れすることも防止できる。
【００７８】
図１〜７に基づき、さらに別の効果について説明する。
【００７９】
特徴的構造５１〜５４による相互作用の結果、外容器１、内容器２、蓋体３とも厚肉でなくとも、液漏れ等を防止できる。すなわち外容器１、内容器２、蓋体３とも薄肉にでき、材料量を低減し、低コストで実現できる。
【００８０】
二重容器において、内容器２のフランジ２３が外容器１に内包され、外容器１のフランジ１３が覆われることがない。外容器１のフランジ１３のみが外側に位置する。これにより、二重容器のフランジ付近が肉厚とならない。
【００８１】
その結果、二重容器に蓋体３を装着した際、容器のデザイン性に制約がなく（言い換えると、スタイリッシュな外観を維持できる、野暮ったくない）とともに、飲料を飲むときの唇の触感が良く、飲みやすく感じる。
【００８２】
〜飲用動作時〜
図８は、本実施形態に係る容器を用いて、飲料を飲用する動作について説明する図である。
【００８３】
ユーザーは容器を手に持ち、口元で容器を傾ける。飲料は飲用開口部３６を通過して供される。容器を傾けるとき、液漏れ（断熱空間４への飲料侵入も含む）が発生しやすくなる。
【００８４】
ところで、飲料をテイクアウトして持ち歩く際も、液漏れのリスクはあるが、発明者は、飲用動作が繰り返し確実に行なわれることを考慮し、飲用動作時の液漏れリスクと飲用開口部３６付近の二重用容器密着構造５１周辺に着目した。
【００８５】
図９は、飲用動作関連個所の拡大断面図である。
【００８６】
補強リブ３７は、飲用開口部３６周りに蓋面３１より下方に突出することにより形成される（図２参照）。すなわち、飲用開口部３６にて、下方突出部３８は補強リブ３７の一部として形成されている。
【００８７】
本実施形態の容器は、更に、挟み込み構造５５を備えていてもよい。挟み込み構造５５において、下方突出部３８と外容器胴部１２との間に内容器フランジ部２３が挟み込まれる。
【００８８】
本実施形態に係る容器では、特徴的構造５１〜５４による相互作用により、内容器フランジ部２３外縁は外容器胴部１２の内壁を押圧する（図５または図７参照）。
【００８９】
外容器胴部１２は反作用として内容器フランジ部２３外縁を押し返す。一方で、内容器フランジ部２３内縁は下方突出部３８に拘束されている。その結果、挟み込み構造５５が作用する。
【００９０】
下方突出部３８と内容器フランジ部２３内縁とが密着するとともに、外容器胴部１２と内容器フランジ部２３外縁との密着性が向上し、液漏れに係る流れを阻害する。すなわち、飲用動作時の液漏れを確実に防止できる。
【００９１】
なお、下方突出部３８は補強リブ３７の一部であり、新たな構成を追加するわけでなく、低コスト性は維持される。
【００９２】
〜変形例〜
本願発明は、上記実施形態に限定されず、上記技術思想の範囲で種々の変更が可能である。図９〜１２に基づいて本願発明に係る第１〜４変形例について説明する。
【００９３】
なお、第１〜３変形例は、二重容器の変形例である。蓋嵌合構造５２と押圧構造５３は上記実施形態と共通する。補助的構成である面接触構造５４もあると好ましい。第４変形例は、蓋体の変形例である。挟み込み構造５５が延長している。
【００９４】
図１０は、変形例１に係る容器の要部構成図である。部分断面斜視図とする。
【００９５】
外容器胴部１２の上部において、水平段部１４が形成されている。外容器胴部に１２おいて、水平段部１４より下方にある外容器胴部小径部１５と、水平段部１４より上方にて外周方向に膨らむに外容器胴部大径部１６とが形成される。
【００９６】
外容器胴部小径部１５は、水平段部１４の近方端と連続し、外容器胴部１２の主要部を構成する。外容器胴部大径部１６下端は水平段部１４の遠方端と連続し、外容器胴部大径部１６上端はフランジ部１３の近方端と連続する。なお、遠近については中心軸を基準とする。
【００９７】
内容器胴部２２の上部において、水平段部２４が形成されている。内容器胴部に２２おいて、水平段部２４より下方にある内容器胴部小径部２５と、水平段部２４より上方にて外周方向に膨らむに内容器胴部大径部２６とが形成される。
【００９８】
内容器胴部小径部２５は、水平段部２４の近方端と連続し、内容器胴部２２の主要部を構成する。内容器胴部大径部２６下端は水平段部２４の遠方端と連続し、内容器胴部大径部２６上端はフランジ部２３の近方端と連続する。
【００９９】
内容器フランジ部２３は外容器水平段部１４上に係止されるとともに、内容器フランジ部２３遠方端は外容器胴部大径部１６に嵌合される。内容器胴部大径部２６は外容器胴部小径部１５に嵌合される。
【０１００】
これにより、二重用容器密着構造５６が形成される。内容器フランジ部２３と外容器水平段部１４とが密着している。
【０１０１】
蓋嵌合構造５２において、外容器フランジ部１３が蓋体の環状周縁部３２に嵌合されると、蓋体３全体が下方に押し下げられる。
【０１０２】
押圧構造５３において、押圧部３５が内容器フランジ部２３上面を押圧すると、内容器フランジ部２３が下方に押し下げられる。
【０１０３】
二重用容器密着構造５６において、内容器フランジ部２３は外容器水平段部１４を押圧し、内容器フランジ部２３は外容器水平段部１４に更に密着するよう作用する。
【０１０４】
このように、変形例１では、上記実施形態と同様な作用および効果が期待できる。
【０１０５】
図１１は、変形例２に係る容器の要部構成図である。断面図とする。
【０１０６】
内容器フランジ部２３は外周から下方に延設され、内容器弾性変形部２７が形成されている。
【０１０７】
内容器２が外容器１に挿入される際、挿入過程において、内容器弾性変形部２７は外容器胴部１２の内壁に当接され、内容器弾性変形部２７は外容器胴部１２の形状にあわせて変形する。
【０１０８】
外容器胴部１２には上から下に向かって縮径する逆テーパが形成されており、内容器２が外容器１に挿入されるにしたがって、内容器弾性変形部２７は変形しながら、外容器胴部１２を押圧する。すなわち、内容器弾性変形部２７は板バネとして機能する。
【０１０９】
これにより、二重用容器密着構造５７が形成される。内容器フランジ部２３（２７）と外容器胴部１２とが密着している。
【０１１０】
蓋嵌合構造５２において、外容器フランジ部１３が蓋体の環状周縁部３２に嵌合されると、蓋体３全体が下方に押し下げられる。
【０１１１】
押圧構造５３において、押圧部３５が内容器フランジ部２３上面を押圧すると、内容器フランジ部２３が下方に押し下げられる。
【０１１２】
二重用容器密着構造５７において、内容器弾性変形部２７は外容器胴部１２を押圧し、内容器フランジ部２３（２７）は外容器胴部１２に更に密着するよう作用する。
【０１１３】
このように、変形例２では、上記実施形態と同様な作用および効果が期待できる。
【０１１４】
図１２は、変形例３に係る容器の概略構成図および要部構成図である。図１１Aは概略構成を示す一部断面図である。図１１Bは要部構成を示す拡大断面図である。変形例３は変形例２の変形例でもある。
【０１１５】
外容器胴部１２の上部であって内壁において、凹部１８（外壁側から見ると凸部）が形成されている。
【０１１６】
内容器フランジ部２３は外周から下方に延設され、内容器弾性変形部２７が形成されている。さらに、内容器弾性変形部２７は、先端が斜め上方に返されて形成される爪部２８を有する。
【０１１７】
内容器２中心軸から爪部２８までの距離は、外容器１中心軸から凹部１８までの距離より、長い。
【０１１８】
内容器２が外容器１に挿入される際、挿入過程において、爪部２８は外容器胴部１２の内壁に当接され、内容器弾性変形部２７は外容器胴部１２の形状にあわせて変形する。さらに、爪部２８は凹部１８にて係止される。
【０１１９】
内容器弾性変形部２７は変形に対し変形前の形状に戻ろうとする。これにより、爪部２８は凹部１８を押圧する。
【０１２０】
これにより、二重用容器密着構造５８が形成される。内容器フランジ部２３（２８）と外容器胴部１２とが密着している。
【０１２１】
蓋嵌合構造５２において、外容器フランジ部１３が蓋体の環状周縁部３２に嵌合されると、蓋体３全体が下方に押し下げられる。
【０１２２】
押圧構造５３において、押圧部３５が内容器フランジ部２３上面を押圧すると、内容器フランジ部２３が下方に押し下げられる。
【０１２３】
二重用容器密着構造５８において、爪部２８は凹部１８を押圧する方向に回動され、内容器フランジ部２３は外容器胴部１２に更に密着するよう作用する。
【０１２４】
このように、変形例３では、上記実施形態と同様な作用および効果が期待できる。
【０１２５】
図１３は、変形例４に係る蓋体の概略構成図と動作説明図である。図１３Aは概略構成を示す斜視図である。図１３Bは変更箇所の動作を示す拡大断面図である。
【０１２６】
上記実施形態において、下方突出部３８は飲用開口部３６付近の補強リブ３７の一部であり、挟み込み構造５５を構成した。
【０１２７】
変形例４においては、下方突出部３８が周方向に延設されて、下方突出部３９が形成されている。すなわち、挟み込み構造５５が周方向に延長している。
【０１２８】
下方突出部３９は、実質的に下方突出部３８と同様であり、同様な作用および効果が期待できる。
【０１２９】
すなわち、挟み込み構造５５において、下方突出部３９と内容器フランジ部２３内縁とが密着するとともに、外容器胴部１２と内容器フランジ部２３外縁との密着性が向上し、飲用開口部３６付近以外でも、液漏れに係る流れを阻害する。これにより液漏れを防止する。
【０１３０】
図１４は、変形例５に係る押圧部範囲を示す図である。図１４Aは裏面から見た平面図であり、図１４Bは押圧部３５を含むA-A断面図であり、図１４Cは押圧部３５を含まないB-B断面図である。
【０１３１】
上記実施形態において、図３の例では、押圧部３５は蓋面３１下面周縁部の一部領域である。周の半分以上の領域に飲用開口部３６を囲むように形成されている。
【０１３２】
変形例５においては、２つの押圧部３５が、飲用開口部３６の遠位側を挟むように形成されている。また、押圧部３５は蓋面３１より一段下げられて形成されている。
【０１３３】
図１５は、変形例６に係る押圧部範囲を示す図である。図１５Aは裏面から見た平面図であり、図１５Bは押圧部３５を含むA-A断面図であり、図１５Cは押圧部３５を含まないB-B断面図である。変形例６は変形例５の変形例でもある。
【０１３４】
変形例６においては、押圧部３５は、飲用開口部３６の遠位側に対向する位置に形成されている。また、押圧部３５は蓋面３１より一段下げられて形成されている。さらに、上記実施形態と同様に下方突出部３８を有する。
【０１３５】
上記実施形態のように押圧部３５は周方向広範囲に設けられることが好ましいが、変形例５や変形例６のように、広範囲でなくてもよい。
【０１３６】
〜その他〜
外容器１および内容器２の材質等は特に限定されない。例えば、透明または半透明の樹脂製であってもよい。紙製でもよい。
【０１３７】
また、蓋体３の材質等は特に限定されない。樹脂製であってもよい。紙製でもよい。
【符号の説明】
【０１３８】
１  外容器
２  内容器
３  蓋体
４  断熱空間
１１  外容器底部
１２  外容器胴部
１３  外容器フランジ部
１４  水平段部
１５  外容器胴部小径部
１６  外容器胴部大径部
１８  外容器爪受部
２１  内容器底部
２２  内容器胴部
２３  内容器フランジ部
２４  水平段部
２５  内容器胴部小径部
２６  内容器胴部大径部
２７  内容器フランジ部下方延設部
２８  内容器爪部
３１  蓋面
３２  環状周縁部
３３  内側立設壁面
３４  凹部
３５  押圧部
３６  飲用開口部
３７  補強リブ
３８  下方突出部
３９  下方突出部（変形例４）
５１  二重用容器密着構造
５２  蓋嵌合構造
５３  押圧構造
５４  面接触構造
５５  挟み込み構造
５６  二重用容器密着構造（変形例１）
５７  二重用容器密着構造（変形例２）
５８  二重用容器密着構造（変形例３）
【図１】
2020037418.tif 000003
【図２】
2020037418.tif 000004
【図３】
2020037418.tif 000005
【図４】
2020037418.tif 000006
【図５】
2020037418.tif 000007
【図６】
2020037418.tif 000008
【図７】
2020037418.tif 000009
【図８】
2020037418.tif 000010
【図９】
2020037418.tif 000011
【図１０】
2020037418.tif 000012
【図１１】
2020037418.tif 000013
【図１２】
2020037418.tif 000014
【図１３】
2020037418.tif 000015
【図１４】
2020037418.tif 000016
【図１５】
2020037418.tif 000017